(57)【要約】  本発明は、スパンガス供給ライン中でのスパンガスの劣化の影響を受けずに校正を行いうるガス分析装置を提供するものであり、ゼロ校正及びスパン校正の開始を指示する校正開始信号を受け付けて、スパンガス流路３の開閉機構３１及びゼロガス流路２の開閉機構２１を制御する開閉機構制御部６１を備えており、前記開閉機構制御部６１が、前回の校正が行われてから所定時間が経過した後に、新たな校正開始信号を受け付けた場合に、スパン校正開始前に、所定時間の間、スパンガス流路３の開閉機構３１を開けるように、スパンガス流路３の開閉機構３１を制御することによって、スパンガス流路３に滞留していたスパンガスを排出するようにした。
2011077938.tif 000002
【特許請求の範囲】
【請求項１】
サンプルガスに含まれる測定対象成分を分析するガス分析計と、
スパンガス供給源からのスパンガスを前記ガス分析計に導入可能に構成されるとともに、開閉機構が設けられたスパンガス流路と、
ゼロガス供給源からのゼロガスを前記ガス分析計に導入可能に構成されるとともに、開閉機構が設けられたゼロガス流路と、
ゼロ校正及びスパン校正の開始を指示する校正開始信号を受け付けて、前記スパンガス流路の開閉機構及び前記ゼロガス流路の開閉機構を制御する開閉機構制御部と、を備えており、
前記開閉機構制御部が、前回の校正が行われてから所定時間が経過した後に、新たな校正開始信号を受け付けた場合に、スパン校正開始前に、所定時間の間、前記スパンガス流路の開閉機構を開けるように、前記スパンガス流路の開閉機構を制御することによって、前記スパンガス流路に滞留していたスパンガスを排出することを特徴とするガス分析装置。
【請求項２】
サンプルガス供給源からのサンプルガスを前記ガス分析計に導入可能に構成されるとともに、開閉機構が設けられたサンプルガス流路を備えており、
前記開閉機構制御部が、前記サンプルガス流路の開閉機構をも制御するものであり、スパン校正終了後に、前記サンプルガス流路の開閉機構を開けるように前記サンプルガス流路の開閉機構を制御する請求項１記載のガス分析装置。
【請求項３】
サンプルガスに含まれる測定対象成分を分析するガス分析計と、スパンガス供給源からのスパンガスを前記ガス分析計に導入可能に構成されるとともに、開閉機構が設けられたスパンガス流路と、を備えたガス分析装置をスパン校正する方法であって、
前回のスパン校正が行われてから所定時間が経過している場合、前記スパンガス流路の開閉機構を開けて、所定量のスパンガスを前記スパンガス流路に流して、前記スパンガス流路に滞留していたスパンガスを排出してから、スパン校正を行うことを特徴とするガス分析装置のスパン校正方法。
【発明の詳細な説明】
【技術分野】
【０００１】
この発明は、優れた測定精度を奏するガス分析装置に関するものである。
【背景技術】
【０００２】
従来、排ガス中の各種成分や、各種プロセスにおいて生成・処理される各種成分の濃度を測定する場合は、非分散型赤外線ガス分析計（ＮＤＩＲ）、非分散型紫外線ガス分析計（ＮＤＵＶ）、磁気式酸素計、化学発光式窒素酸化物分析計（ＣＬＤ式ＮＯＸ計）、水素炎イオン化検出器（ＦＩＤ）等の各種のガス分析計が用いられている（特許文献１）。このようなガス分析計を備えたガス分析装置では測定前にゼロガスとスパンガスとを用いた校正が行われている。このような校正では、まず、ゼロガスをガス分析計に流してゼロ校正を行い、次いで、スパンガスをガス分析計に流してスパン校正を行う。【０００３】
これらのゼロガスやスパンガスは、一般的に高圧容器に充填されており、各ガスの供給ラインを経由してガス分析装置に供給されるが、長時間校正が行われなかった場合は、スパンガス供給ラインを構成する各種管中に滞留したスパンガスの濃度が変動したり、ガス自体が変性、劣化したりすることがある。【０００４】
より具体的には、スパンガス供給ラインがフッ素樹脂管やナイロン管等の樹脂製管から構成されている場合、スパンガス又は外気中のＣＯ２やＯ２等のガスが樹脂製管を透過することにより、ガス濃度が変動することがある。また、スパンガス供給ラインがステンレス管等の金属製管から構成されている場合、当該金属中に含まれる成分（例えば、ステンレス管の場合はニッケル）が触媒として作用してスパンガスを変性させることがある。【０００５】
このように劣化したスパンガスを用いて校正を行っても、適切な校正は行えず、分析結果の精度及び信頼性の低下を招く。
【先行技術文献】
【特許文献】
【０００６】
【特許文献１】特開２００１−３４９８１２号公報
【発明の概要】
【発明が解決しようとする課題】
【０００７】
そこで本発明は、このようなスパンガスの劣化の影響を受けずに校正を行いうるガス分析装置を提供すべく図ったものである。
【課題を解決するための手段】
【０００８】
すなわち本発明に係るガス分析装置は、サンプルガスに含まれる測定対象成分を分析するガス分析計と、スパンガス供給源からのスパンガスを前記ガス分析計に導入可能に構成されるとともに、開閉機構が設けられたスパンガス流路と、ゼロガス供給源からのゼロガスを前記ガス分析計に導入可能に構成されるとともに、開閉機構が設けられたゼロガス流路と、ゼロ校正及びスパン校正の開始を指示する校正開始信号を受け付けて、前記スパンガス流路の開閉機構及び前記ゼロガス流路の開閉機構を制御する開閉機構制御部と、を備えており、前記開閉機構制御部が、前回の校正が行われてから所定時間が経過した後に、新たな校正開始信号を受け付けた場合に、スパン校正開始前に、所定時間の間、前記スパンガス流路の開閉機構を開けるように、前記スパンガス流路の開閉機構を制御することによって、前記スパンガス流路に滞留していたスパンガスを排出することを特徴とする。【０００９】
このようなものであれば、前回の校正が行われてから所定時間が経過した後に新たな校正を行う場合は、まず、前記スパンガス流路の開閉機構を開けて、スパンガス供給ライン及びスパンガス流路中に滞留していたスパンガスを流し出（パージ）して、スパンガス供給ライン及びスパンガス流路中のスパンガスを新たなものに置換してから、スパン校正を行うことができるので、高精度な校正を行うことができ、信頼性の高い分析結果を得ることができる。【００１０】
更に、本発明に係るガス分析装置は、サンプルガス供給源からのサンプルガスを前記ガス分析計に導入可能に構成されるとともに、開閉機構が設けられたサンプルガス流路を備えており、前記開閉機構制御部が、前記サンプルガス流路の開閉機構をも制御するものであり、スパン校正終了後に、前記サンプルガス流路の開閉機構を開けるように前記サンプルガス流路の開閉機構を制御するものであることが好ましい。このようなものであれば、校正〜分析に亘る一連の複雑な開閉機構の開閉を単一の指示（校正開始信号）で制御することが可能となる。【００１１】
前回の校正が行われてから所定時間が経過した後に新たな校正を行う場合に、まず、前記スパンガス流路の開閉機構を開けて、スパンガス供給ライン及びスパンガス流路中に滞留していたスパンガスを流し出（パージ）して、スパンガス供給ライン及びスパンガス流路中のスパンガスを新たなものに置換してから、スパン校正を行う方法もまた、本発明の１つである。すなわち、本発明に係るガス分析装置のスパン校正方法は、サンプルガスに含まれる測定対象成分を分析するガス分析計と、スパンガス供給源からのスパンガスを前記ガス分析計に導入可能に構成されるとともに、開閉機構が設けられたスパンガス流路と、を備えたガス分析装置をスパン校正する方法であって、前回のスパン校正が行われてから所定時間が経過している場合、前記スパンガス流路の開閉機構を開けて、所定量のスパンガスを前記スパンガス流路に流して、前記スパンガス流路に滞留していたスパンガスを排出してから、スパン校正を行うことを特徴とする。
【発明の効果】
【００１２】
このように本発明によれば、高精度の校正を行うことができるので、信頼性の高い分析結果を得ることができ、サンプルガス中の測定対象成分の濃度が低い場合であっても、精度の高い分析結果を得ることができる。
【図面の簡単な説明】
【００１３】
【図１】本発明の一実施形態に係るガス分析装置の構成図。
【図２】同実施形態における校正手順を示すフローチャート。
【図３】同実施形態におけるスパンガスの濃度を示すグラフ。
【発明を実施するための形態】
【００１４】
以下に本発明の一実施形態について図面を参照して説明する。
【００１５】
本実施形態に係るガス分析装置１は、図１に示すように、ゼロガス流路２と、スパンガス流路３と、サンプルガス流路４と、これらの流路の下流に設けられ、サンプルガス中の測定対象成分を分析するガス分析計５と、情報処理装置６と、を備えている。
【００１６】
ゼロガス流路２、スパンガス流路３、サンプルガス流路４には、それぞれ開閉バルブ２１、３１、４１が設けられており、また、各流路の導入ポート２２、３２、４２には、それぞれのガスの供給ライン１１２、１２２、１３２が連結されている。そして、各流路２、３、４は、当該供給ライン１１２、１２２、１３２を介して、それぞれのガス供給源１１、１２、１３に接続されている。
【００１７】
各ガスの供給ライン１１２、１２２、１３２は、例えば、フッ素樹脂管、ナイロン管等の樹脂製管や、ステンレス管等の金属製管から構成されており、数１０〜数１００ｍの長さを有するものである。
【００１８】
ゼロガス供給源１１及びスパンガス供給源１２としては、それぞれのガスが高圧容器に充填されたものが用いられ、いずれの高圧容器においても、ガス分析装置１が稼働している間、その開閉バルブ１１１、１２１は常時開けられている。
【００１９】
前記ゼロガスとしては、例えば、７９ｖｏｌ％のＮ２と２１ｖｏｌ％のＯ２とからなる人工大気が使用され、一方、前記スパンガスとしては測定対象成分に応じたものが用いられ、例えば、ＣＯ、ＣＯ２、ＮＯｘ、Ｏ２、Ｃ３Ｈ８、ＳＯ２等から適宜選択される。
【００２０】
サンプルガス供給源１３としては、例えば、各種車両や、各種プラント装置等が挙げられ、サンプルガス供給源１３に設けられた開閉バルブ１３１も、ガス分析装置１が稼働している間は常時開けられている。
【００２１】
ガス分析計５としては、測定対象成分に応じたものが設けられており、例えば、ＣＯ、ＣＯ２を測定対象とする場合は非分散型赤外線ガス分析計（ＮＤＩＲ）、硫黄化合物を測定対象とする場合は非分散型紫外線ガス分析計（ＮＤＵＶ）、Ｏ２を測定対象とする場合は磁気式酸素計、ＮＯｘを測定対象とする場合は化学発光式窒素酸化物分析計（ＣＬＤ式ＮＯＸ計）、ＴＨＣ（炭化水素）を測定対象とする場合は水素炎イオン化検出器（ＦＩＤ）が用いられる。
【００２２】
情報処理装置６は、ＣＰＵの他に、メモリ、キーボード等の入力手段、ディスプレイ等の出力手段等を備えた汎用乃至専用のものであり、メモリに所定のプログラムを格納し、当該プログラムに従ってＣＰＵやその周辺機器を協働動作させることによって、バルブ制御部６１、演算処理部６２等としての機能を発揮するように構成してある。
【００２３】
バルブ制御部６１は、ゼロガス及びスパンガスを用いた校正の開始を指示する校正開始信号を受け付けて、ゼロガス流路２、スパンガス流路３及びサンプルガス流路４の開閉バルブ２１、３１、４１をそれぞれ制御するものであり、前回の校正開始信号を受け付けてから所定時間が経過した後に、新たな校正開始信号を受け付けた場合には、スパンガス流路３の開閉バルブ３１を所定時間以上開けてから、ゼロガス流路２の開閉バルブ２１を開けるようにスパンガス流路３の開閉バルブ２１及びゼロガス流路２の開閉バルブ２１を制御するものである。ここで、校正開始信号とは、具体的には、オペレータからの入力や、別装置からのトリガー信号等である。
【００２４】
演算処理部６２は、ガス分析計５から分析データを取得して、所定の演算処理を行い、測定対象成分の濃度を算出するものである。
【００２５】
次に、このように構成したガス分析装置１における校正手順を、図２に示すフローチャートを参照して説明する。
【００２６】
まず、ガス分析装置１が測定対象成分を分析している状態では、サンプルガス流路４の開閉バルブ４１は開けられており、一方、ゼロガス流路２の開閉バルブ２１及びスパンガス流路３の開閉バルブ３１は閉じられている（ステップＳ１）。
【００２７】
そして、バルブ制御部６１は、オペレータからの入力や、別装置からのトリガー信号等の校正開始信号を受信すると（ステップＳ２）、前回の校正開始信号を受信してから、所定時間Ａが経過しているかどうかを判断する（ステップＳ３）。
【００２８】
ここで、所定時間Ａは、スパンガス供給ライン１２２を構成する管の材料や、その長さ、スパンガスの種類等に基づき、予め設定された一定時間であり、例えば、スパンガス供給ライン１２２がフッ素樹脂製管から構成されている場合、所定時間Ａは９０分〜２時間程度である。なお、当該所定時間Ａは一旦設定した後に変更することも可能である。
【００２９】
そして、所定時間Ａが経過していた場合、バルブ制御部６１は以下のように各開閉バルブ２１、３１、４１を制御する。すなわち、まず、サンプルガス流路４の開閉バルブ４１を閉じる（ステップＳ４）。次いで、所定時間Ｂの間、スパンガス流路３の開閉バルブ３１を開けて、スパンガス供給ライン１２２及びスパンガス流路３に滞留していたスパンガスをガス分析装置１外に排出（パージ）し、スパンガス供給ライン１２２及びスパンガス流路３中のスパンガスを新しいものに置換する（ステップＳ５）。なお、当該所定時間Ｂは、スパンガス供給ライン１２２及びスパンガス流路３の長さや、スパンガスの流速（圧力）等に応じて、予め設定された一定時間である。
【００３０】
そして、所定時間Ｂ経過後、スパンガス流路３の開閉バルブ３１を閉じてから、ゼロガス流路２の開閉バルブ２１を開けて、ゼロ校正を行い（ステップＳ６）、ゼロ校正終了後、ゼロガス流路２の開閉バルブ２１を閉じてから、引き続き、スパンガス流路３の開閉バルブ３１を開けて、スパン校正を行う（ステップＳ７）。
【００３１】
一方、所定時間Ａが経過していなかった場合は、バルブ制御部６１は以下のように各開閉バルブ２１、３１、４１を制御する。すなわち、サンプルガス流路４の開閉バルブ４１を閉じた（ステップＳ８）後、直ちに、ゼロガス流路２の開閉バルブ２１を開けて、ゼロ校正を行い（ステップＳ９）、ゼロ校正終了後、ゼロガス流路２の開閉バルブ２１を閉じてから、引き続き、スパンガス流路３の開閉バルブ３１を開けて、スパン校正を行う（ステップＳ１０）。
【００３２】
そして、いずれの場合も、スパン校正終了後、スパンガス流路３の開閉バルブ３１を閉じてから、サンプルガス流路４の開閉バルブ４１を開けて、サンプルガスに含まれる測定対象成分の分析を開始する。
【００３３】
前回の校正から所定時間が経過した後に上述のような新たな校正を行い、スパンガスの濃度を測定すると、図３に示すようなグラフが得られる。当該グラフに示すように、所定時間の間スパンガス供給ライン１２２に滞留していたスパンガスは劣化しているので、このスパンガスをそのまま用いてスパン校正を行っても適正な校正を行うことはできない。なお、図３に示す態様では、前回の校正の後、サンプルガスの分析は行われていない。また、ゼロ校正は、ゼロガス流路２の開閉バルブ２１を開けてゼロガスを流し始めてから一定時間経過して、スパンガスが充分にガス分析装置１外に排出されてから行われる。
【００３４】
このように構成した本実施形態に係るガス分析装置１によれば、前回の校正開始信号を受信してから所定時間が経過した後に、新たな校正開始信号を受信した場合は、まず、スパンガス流路３の開閉バルブ３１を所定時間以上開けて、スパンガス供給ライン１２２及びスパンガス流路３中に滞留していたスパンガスを流し出（パージ）して、スパンガス供給ライン１２２及びスパンガス流路３中のスパンガスを新たなものに置換してから、校正が行われる。このため、高精度の校正を行うことができるので、信頼性の高い分析結果を得ることができる。
【００３５】
なお、本発明は前記実施形態に限られるものではない。
【００３６】
例えば、本発明に係るガス分析装置には、複数種類のガス分析計が備わっていてもよい。
【００３７】
前記実施形態における演算処理部の機能は、外部の情報処理装置が担うように構成してもよい。
【００３８】
前記実施形態では、滞留していたスパンガスもガス分析計を経由して装置外に排出しているが、滞留していたスパンガスを装置外に排出するための分岐路が別途設けてあってもよい。
【００３９】
その他、前述した実施形態や変形実施形態の一部又は全部を適宜組み合わせてもよく、その趣旨を逸脱しない範囲で種々の変形が可能であるのは言うまでもない。
【産業上の利用可能性】
【００４０】
本発明によれば、高精度の校正を行うことにより、信頼性の高い分析結果を得ることができ、サンプルガス中の測定対象成分の濃度が低い場合であっても、精度の高い分析結果を得ることができる。
【符号の説明】
【００４１】
１・・・ガス分析装置
２・・・ゼロガス流路
２１・・・ゼロガス流路の開閉バルブ（開閉機構）
３・・・スパンガス流路
３１・・・スパンガス流路の開閉バルブ（開閉機構）
５・・・ガス分析計
６１・・・バルブ制御部（開閉機構制御部）
【図１】
2011077938.tif 000003
【図２】
2011077938.tif 000004
【図３】
2011077938.tif 000005
【国際調査報告】
2011077938.tif 000006
2011077938.tif 000007
2011077938.tif 000008
2011077938.tif 000009